(57)【要約】【課題】放射性汚染物質の輸送および保管の両方に適した輸送・保管容器を提供する。【解決手段】輸送・保管容器１Ａは、フレキシブルコンテナ６の側面部６ａから離間するようにしてフレキシブルコンテナ６内に配置された筒状部２１と、筒状部２１により包囲されて、所定の放射性汚染レベルを有する高濃度汚染物質Ｈが充填される内側充填部４と、筒状部２１と側面部６ａとの間に形成されて、高濃度汚染物質Ｈよりも低い放射性汚染レベルを有する低濃度汚染物質Ｌが充填される外側充填部５と、フレキシブルコンテナ６内で筒状部２１を位置決めすることにより、外側充填部５における所定の充填厚さｄを確保する底板部２２と、を備える。【選択図】図４
2014025790.tif 000002
【特許請求の範囲】
【請求項１】
放射性物質を含有する放射性汚染物質が容器本体内に充填される輸送・保管容器であって、
前記容器本体の側面部から離間するようにして前記容器本体内に配置された仕切り部と、
前記仕切り部により包囲されて、所定の放射性汚染レベルを有する高濃度汚染物質が充填される内側充填部と、
前記仕切り部と前記側面部との間に形成されて、前記高濃度汚染物質よりも低い放射性汚染レベルを有する低濃度汚染物質が充填される外側充填部と、
前記容器本体内で前記仕切り部を位置決めすることにより、前記外側充填部における所定の充填厚さを確保する位置決め手段と、
を備えることを特徴とする輸送・保管容器。
【請求項２】
前記容器本体は、所定の可撓性および強度を有し前記放射性汚染物質の充填により自立可能かつ揚重可能となるフレキシブルコンテナであることを特徴とする請求項１記載の輸送・保管容器。
【請求項３】
前記内側充填部に充填される前記高濃度汚染物質は、前記放射性物質を含有する水の凝集沈殿処理に伴って発生した凝集沈殿汚泥であることを特徴とする請求項１または２記載の輸送・保管容器。
【請求項４】
前記仕切り部は、前記容器本体内に立設される筒状部であり、
前記位置決め手段は、前記筒状部に接合されると共に前記側面部に向けて延びる板状部であることを特徴とする請求項１〜３のいずれか一項記載の輸送・保管容器。
【請求項５】
前記仕切り部は、前記高濃度汚染物質を投入するための開口部と前記開口部を閉止する閉止部とを有する袋体であることを特徴とする請求項１〜４のいずれか一項記載の輸送・保管容器。
【発明の詳細な説明】
【技術分野】
【０００１】
本発明は、放射性物質を含有する放射性汚染物質が容器本体内に充填される輸送・保管容器に関する。
【背景技術】
【０００２】
従来、下記特許文献１に記載されるように、鉛製の外側容器とガラス製の内側容器とによって構成された二層構造の容器が知られている。この容器では、内側容器に放射性汚染物質を収容し、内側容器の開口を蓋で密閉し、さらに蓋の上にモルタル等を充填している。このように、鉛製の外側容器を用いると共に密閉構造とすることで、容器の外部と放射性汚染物質とを遮断し、放射能漏れを防止している。
【０００３】
また、下記特許文献２に記載されるように、内側容器と、内側容器の側部外周を覆うように設けられた遮蔽体とを備えた容器が知られている。内側容器はプラスチックからなり、遮蔽体はコンクリートからなる。この容器では、内側容器に放射性汚染物質を収容し、蓋を取り付けることによって放射線を遮蔽している。また、蓋の上面には、遮蔽体が設けられる。
【先行技術文献】
【特許文献】
【０００４】
【特許文献１】特開平８−０３６０９４号公報
【特許文献２】実用新案登録第３１７４８６５号公報
【発明の概要】
【発明が解決しようとする課題】
【０００５】
近年、放射性物質により汚染された地域の除染に伴って、放射性物質によって汚染された土または廃棄物である放射性汚染物質が発生している。除染が行われる地域では、放射性汚染物質が除去される。除去物は、容器内に充填されて、先ず「一時保管場所」へ運ばれる。その後、「仮置き場（３年程度）」に運ばれ、最後に「中間貯蔵施設（３０年程度）」に運ばれる。
【０００６】
ところが上記した従来の容器では、放射線を遮蔽するために鉛製の外側容器もしくはコンクリート製の遮蔽体を用いているため、収納される放射性汚染物質の量に対して容器全体の重量が増大してしまう。そのため、放射性汚染物質の保管は可能であったとしても、容器の輸送には適さない。そこで、放射性汚染物質の輸送および保管の両方に適している輸送・保管容器が求められている。
【０００７】
本発明は、放射性汚染物質の輸送および保管の両方に適した輸送・保管容器を提供すること目的とする。
【課題を解決するための手段】
【０００８】
本発明の輸送・保管容器は、放射性物質を含有する放射性汚染物質が容器本体内に充填される輸送・保管容器であって、容器本体の側面部から離間するようにして容器本体内に配置された仕切り部と、仕切り部により包囲されて、所定の放射性汚染レベルを有する高濃度汚染物質が充填される内側充填部と、仕切り部と側面部との間に形成されて、高濃度汚染物質よりも低い放射性汚染レベルを有する低濃度汚染物質が充填される外側充填部と、容器本体内で仕切り部を位置決めすることにより、外側充填部における所定の充填厚さを確保する位置決め手段と、を備えることを特徴とする。
【０００９】
この輸送・保管容器によれば、容器本体内に配置された仕切り部により包囲されて、高濃度汚染物質が充填される内側充填部が形成される。また、仕切り部と容器本体の側面部との間すなわち内側充填部の周囲に、低濃度汚染物質が充填される外側充填部が形成される。容器本体の側面部から離間するようにして配置された仕切り部は、位置決め手段によって位置決めされ、外側充填部における所定の充填厚さが確保される。この充填厚さは、仕切り部と容器本体の側面部との離間距離に相当する。このように、外側充填部における所定の充填厚さが確保されることで、内側充填部に高濃度汚染物質が充填されても、高濃度汚染物質からの放射線は、外側充填部に充填された低濃度汚染物質によって遮蔽される。よって、輸送・保管容器の側面部に近寄って作業員が作業を行ったとしても、作業員の被ばくが抑制される。このように、放射性汚染物質を高濃度汚染物質と低濃度汚染物質とに分類し、低濃度汚染物質で高濃度汚染物質を所定の充填厚さで包囲することにより、他の遮蔽部材（コンクリートや鉛など）を用いることなく、適切かつ安全な充填作業および保管が可能となる。さらに、容器本体内には、たとえば土、草木、または汚泥など比較的密度の低い物質が充填されるのみであって、密度の高い遮蔽部材（コンクリートや鉛など、容積に比して重量の大きい遮蔽部材）は充填されない。そのため、本発明の輸送・保管容器は、輸送にも適している。よって、輸送および保管の両方に適した輸送・保管容器が実現される。
【００１０】
また、上記輸送・保管容器において、容器本体は、所定の可撓性および強度を有し放射性汚染物質の充填により自立可能かつ揚重可能となるフレキシブルコンテナである。この構成によれば、容器本体として利用されるフレキシブルコンテナは自立可能であるため保管し易く、また揚重可能であるため輸送し易い。さらに、フレキシブルコンテナ自体が軽量であるため、輸送時の重量を最小限にでき、放射性汚染物質の輸送がより一層容易となり、また輸送効率も向上する。
【００１１】
また、上記輸送・保管容器において、内側充填部に充填される高濃度汚染物質は、放射性物質を含有する水の凝集沈殿処理に伴って発生した凝集沈殿汚泥である。放射性物質を含有する水の凝集沈殿処理に伴って発生した凝集沈殿汚泥には、放射性物質が濃縮されて含まれる。そのため、凝集沈殿汚泥の放射性汚染レベルは、他の放射性汚染物質に比して特に高い。内側充填部に凝集沈殿汚泥を充填し、外側充填部に低濃度汚染物質を充填することにより、凝集沈殿汚泥からの放射線を確実に遮蔽でき、除染作業およびその後の輸送を安全かつ効率的に進めることができる。
【００１２】
また、上記輸送・保管容器において、仕切り部は、容器本体内に立設される筒状部であり、位置決め手段は、筒状部に接合されると共に側面部に向けて延びる板状部である。この構成によれば、筒状部内の内側充填部に高濃度汚染物質を充填し、板状部によって筒状部が位置決めされ、外側充填部の充填厚さが確保される。よって、簡易な構成により、輸送および保管の両方に適した輸送・保管容器が実現される。
【００１３】
また、上記輸送・保管容器において、仕切り部は、高濃度汚染物質を投入するための開口部と開口部を閉止する閉止部とを有する袋体である。この場合、袋体の開口部から高濃度汚染物質を投入し、閉止部によって開口部を閉止する。さらにこの袋体が容器本体の中心部に位置するように位置決めすれば、高濃度汚染物質からの放射線が確実に遮蔽される。
【発明の効果】
【００１４】
本発明によれば、輸送および保管の両方に適した輸送・保管容器が実現される。
【図面の簡単な説明】
【００１５】
【図１】（ａ）は、本発明の輸送・保管容器に係る一実施形態を概念的に示す図であり、（ｂ）は、他の実施形態を概念的に示す図である。
【図２】（ａ）〜（ｃ）は、図１（ａ）の輸送・保管容器に放射性汚染物を充填する手順を示す図である。
【図３】（ａ）および（ｂ）は、図２に続く手順を示す図である。
【図４】（ａ）〜（ｃ）は、図３に続く手順を示す図である。
【図５】図１（ａ）の輸送・保管容器に用いられる仕切り部および位置決め部の斜視図である。
【図６】除染に伴って排出される放射性汚染物質の表面線量率の度数分布である。
【図７】（ａ）〜（ｄ）は、図１（ｂ）の輸送・保管容器に放射性汚染物を充填する手順を示す図である。
【発明を実施するための形態】
【００１６】
以下、本発明の実施形態について、図面を参照しながら説明する。なお、図面の説明において同一要素には同一符号を付し、重複する説明は省略する。
【００１７】
図１（ａ）に示されるように、輸送・保管容器１は、放射性物質を含有する放射性汚染物質が充填されて、放射性汚染物質を保管するためのものである。輸送・保管容器１に充填される放射性汚染物質は、放射性物質により環境汚染が生じた地域における除染により発生する、土壌などの除去物である。すなわち、放射性汚染物質は、剥ぎ取られた表土、湖沼などから除去された底泥、剪定された枝葉、除草された草、落ち葉、焼却灰、放射性物質含有水の浄化処理に伴って排出される汚泥などである。放射性物質としては、たとえば放射性セシウム（１３７Ｃｓ）が挙げられる。
【００１８】
輸送・保管容器１は、放射性汚染物質の保管のみならず、放射性汚染物質が充填された状態で輸送されるのにも適している。放射性汚染物質が充填された輸送・保管容器１は、除染場所から放射性汚染物質の一時保管場所へ輸送される。また、輸送・保管容器１は、一時保管場所において保管された後、仮置き場に輸送され、最後に中間貯蔵施設に輸送される。
【００１９】
輸送・保管容器１は、放射性汚染物質が充填される容器本体２と、容器本体２の側面部２ａから離間するようにして容器本体２内に配置される筒状の仕切り部３とを備える。仕切り部３内には、所定の放射性汚染レベルを有する高濃度汚染物質が充填される内側充填部４が形成されている。仕切り部３と側面部２ａとの間には、高濃度汚染物質よりも低い放射性汚染レベルを有する低濃度汚染物質が充填される外側充填部５が形成されている。
【００２０】
仕切り部３は、容器本体２内で位置決めされている。容器本体２の位置決めにより、外側充填部５における所定の充填厚さｄ、すなわち仕切り部３と側面部２ａとの間の水平方向の距離が確保されている。この充填厚さｄの値は、たとえば、内側充填部４に充填される高濃度汚染物質の汚染レベル若しくは内側充填部４の容積等により適宜設定される。
【００２１】
上述したように、放射性汚染物質の種類は様々であり、それぞれの種類や排出場所によって、放射性汚染レベルも様々である。放射性汚染レベルとは、たとえば表面線量率（μＳｖ／ｈ）の値によって決められる汚染の度合いである。なお、表面線量率の他にも、表面汚染密度（ｃｍｐ、Ｂｑ／ｍ２）或いは放射能濃度（Ｂｑ／ｋｇ）等の値によって放射性汚染レベルが決められてもよい。内側充填部４に充填される高濃度汚染物質と、外側充填部５に充填される低濃度汚染物質との仕分け方については後述する。
【００２２】
輸送・保管容器１への放射性汚染物質の充填方法について説明する。以下の説明では、輸送・保管容器１として輸送・保管容器１Ａを用いる場合を例に挙げて説明する。図２〜図４に示されるように、輸送・保管容器１Ａの容器本体２としては、具体的には、クロスタイプのフレキシブルコンテナ６が用いられる。フレキシブルコンテナ６は、大型土のう袋、フレキシブルコンテナバッグ、若しくは略してフレコン等とも呼ばれる袋体である。フレキシブルコンテナ６は、たとえばポリエチレンからなる。フレキシブルコンテナ６は、所定の可撓性および強度を有しており、放射性汚染物質の充填により自立可能かつ揚重可能である。ここでいう自立可能とは、形状を保持できることを意味する。また揚重可能とは、吊り下げが可能であることを意味する。フレキシブルコンテナ６は、透水性を有してもよいし、不透水性であってもよい。
【００２３】
まず、図２（ａ）に示されるように、畳まれた状態のフレキシブルコンテナ６を用意する。次に、図２（ｂ）に示されるように、フレキシブルコンテナ６を広げる。次に、図２（ｃ）に示されるように、フレキシブルコンテナ６の上部の開口部６ｂを通じて、高濃度汚染物質容器２０をフレキシブルコンテナ６内に入れる。
【００２４】
図５に示されるように、高濃度汚染物質容器２０は、たとえばポリエチレン製の容器である。高濃度汚染物質容器２０は、フレキシブルコンテナ６内に立設される円筒状の筒状部２１と、筒状部２１の下端に溶着によって接合される円板状の底板部（板状部）２２とからなる。底板部２２は、フレキシブルコンテナ６の底部６ｃ上に載置され、筒状部２１は、フレキシブルコンテナ６の内部で起立する。筒状部２１の高さは、内部に放射性汚染物質が充填された場合のフレキシブルコンテナ６の高さよりも低い。
【００２５】
高濃度汚染物質容器２０の筒状部２１は、フレキシブルコンテナ６の側面部６ａから離間して配置される。輸送・保管容器１Ａの仕切り部３に相当する。また、高濃度汚染物質容器２０の底板部２２は、筒状部２１の下端から側面部６ａに向けて水平方向に延びている。高濃度汚染物質容器２０において、筒状部２１と底板部２２とは同心状に配置されている。底板部２２は、フレキシブルコンテナ６内で筒状部２１を位置決めする位置決め手段に相当する。
【００２６】
高濃度汚染物質容器２０内には、高濃度汚染物質Ｈが充填される柱状の内側充填部４が形成される。高濃度汚染物質容器２０の周囲、すなわち高濃度汚染物質容器２０と側面部６ａとの間には、低濃度汚染物質が充填される筒状の外側充填部５が形成される。筒状部２１が直立しており、筒状部２１と側面部６ａとの間には、所定の離間距離ｄが形成される。
【００２７】
次に、図３（ａ）に示されるように、高濃度汚染物質容器２０の筒状部２１の上端にキャップ２３を装着する。このキャップ２３は、筒状部２１内の空間すなわち内側充填部４に低濃度汚染物質が入るのを防止するためのものである。次に、図３（ｂ）に示されるように、外側充填部５に低濃度汚染物質Ｌを充填する。低濃度汚染物質Ｌを充填する高さは、筒状部２１の上端よりも低い高さとする。
【００２８】
次に、図４（ａ）に示されるように、キャップ２３を一旦取り外し、筒状部２１内すなわち内側充填部４に高濃度汚染物質Ｈを充填する。そして、容器本体２１にキャップ２３を装着する。さらに、キャップ２３が埋まる程度に低濃度汚染物質Ｌを充填する。次に、図４（ｂ）に示されるように、閉止部６ｅによって開口部６ｂを閉止する。そして、図４（ｃ）に示されるように、クレーン等のフックをループ部６ｆに引っ掛け、フレキシブルコンテナ６を吊り上げる。
【００２９】
フレキシブルコンテナ６に放射性汚染物質を充填する際の、高濃度汚染物質Ｈと低濃度汚染物質Ｌとの仕分け方について説明する。図６に示されるように、放射性汚染物質には、放射性汚染レベルが高いものと低いものとがある。このような放射性汚染レベルの分布は、過去の除染工事の実績から得てもよいし、実際の除染対象地区からサンプリングを行うことにより把握してもよい。
【００３０】
ここで、放射性汚染レベルの分布に応じて、所定の閾値を設定し、その閾値よりも高い放射性汚染レベルの物質を高濃度汚染物質Ｈとし、その閾値よりも低い放射性汚染レベルの物質を低濃度汚染物質Ｌとすることができる。たとえば、図６に示した例の場合、表面線量率が１０μＳｖ／ｈよりも高い放射性汚染レベルの物質を高濃度汚染物質Ｈとし、表面線量率が１０μＳｖ／ｈよりも低い放射性汚染レベルの物質を低濃度汚染物質Ｌとすることができる。また、表面線量率が２０μＳｖ／ｈよりも高い放射性汚染レベルの物質を高濃度汚染物質Ｈとし、表面線量率が２０μＳｖ／ｈよりも低い放射性汚染レベルの物質を低濃度汚染物質Ｌとすることもできる。また、図示は省略するが、表面線量率１５μＳｖ／ｈを閾値としてもよい。
【００３１】
また、２箇所の汚染物質（たとえば汚染土壌等）において濃度が異なる場合に、放射性汚染レベルの高い方を高濃度汚染物質Ｈとし、放射性汚染レベルの低い方を低濃度汚染物質Ｌとしてもよい。すなわち、放射性汚染レベルが相対的に高い方を高濃度汚染物質Ｈとし、放射性汚染レベルが相対的に低い方を低濃度汚染物質Ｌとしてもよい。また、図６に示されるような度数分布で表した場合に、放射性汚染レベルが低い順から見て最初の山よりも右側に外れた汚染物質を高濃度汚染物質Ｈとして扱うこともできる。
【００３２】
図６に示す例では、１０μＳｖ／ｈ付近をピークとする最初の山があり、表面線量率が１００μＳｖ／ｈ以上の汚染物質は最初の山から外れている。この場合、表面線量率が１００μＳｖ／ｈ以上の汚染物質を高濃度汚染物質Ｈとして扱うこととしてもよい。
【００３３】
また、表面線量率の平均値に対して標準偏差σの３倍を加えた値を閾値としてもよい。
【００３４】
高濃度汚染物質Ｈとして輸送・保管容器１Ａの内側充填部４に充填されるのが好適な物質としては、たとえば、放射性物質を含有する水の凝集沈殿処理に伴って発生した凝集沈殿汚泥が挙げられる。放射性物質を含有する水とは、たとえば除染に用いた洗浄水である。内側充填部４に充填される凝集沈殿汚泥は、沈殿分離の直後に排出される沈殿汚泥でもよいし、濃縮機等によって濃縮された凝集汚泥でもよい。また、脱水機等によって脱水された凝集汚泥であってもよい。
【００３５】
低濃度汚染物質Ｌとして輸送・保管容器１Ａの外側充填部５に充填されるのが好適な物質としては、土壌や土砂が挙げられる。たとえば、土壌には遮蔽能力があり、例えば、厚さ３０ｃｍで９８％の遮蔽率、１５ｃｍで８６％の遮蔽率、１０ｃｍで７４％の遮蔽率、５ｃｍで５１％の遮蔽率があると言われている。このように、土壌は、外側充填部５に充填される低濃度汚染物質Ｌとして適している。
【００３６】
以上説明した輸送・保管容器１Ａおよび輸送・保管容器１Ａへの充填方法によれば、フレキシブルコンテナ６内に配置された筒状部２１により包囲されて、高濃度汚染物質Ｈが充填される内側充填部４が形成される。また、筒状部２１とフレキシブルコンテナ６の側面部６ａとの間すなわち内側充填部４の周囲に、低濃度汚染物質Ｌが充填される外側充填部５が形成される。フレキシブルコンテナ６の側面部６ａから離間するようにして配置された筒状部２１は、底板部２２によって位置決めされ、外側充填部５における所定の充填厚さｄが確保される。この充填厚さｄは、筒状部２１とフレキシブルコンテナ６の側面部６ａとの離間距離ｄに相当する。このように、外側充填部５における所定の充填厚さｄが確保されることで、内側充填部４に高濃度汚染物質Ｈが充填されても、高濃度汚染物質Ｈからの放射線は、外側充填部５に充填された低濃度汚染物質Ｌによって遮蔽される。よって、輸送・保管容器１Ａの側面部に近寄って作業員が作業を行ったとしても、作業員の被ばくが抑制される。このように、放射性汚染物質を高濃度汚染物質Ｈと低濃度汚染物質Ｌとに分類し、低濃度汚染物質Ｌで高濃度汚染物質Ｈを所定の充填厚さｄで包囲することにより、コンクリートや鉛等の他の遮蔽部材を用いることなく、適切かつ安全な充填作業および保管が可能となる。さらに、フレキシブルコンテナ６内には、たとえば土、草木、または汚泥など比較的密度の低い物質が充填されるのみであって、密度の高い遮蔽部材（コンクリートや鉛など、容積に比して重量の大きい遮蔽部材）は充填されない。そのため、輸送・保管容器１Ａは、輸送にも適している。よって、輸送および保管の両方に適した輸送・保管容器１Ａが実現される。
【００３７】
フレキシブルコンテナは、本来、放射性物質の運搬用に開発されたものではないため、遮蔽機能を有していない。つまり、除染業務などにおいては放射性セシウムが含まれている土壌等が対象となるため、作業員は除染に加え、除染除去物の収集後の運搬・保管時にも外部被ばくを被るおそれがあった。そのため、従来、作業員の外部被ばくを低減するためには、作業員の作業時間を減らすしか手段がなかった。なお、近年「放射線遮蔽シート」が開発され、このようなシートを用いれば遮蔽機能を有するフレキシブルコンテナが作成できるともいわれるが、実際の遮蔽効果は、１ｍｍの厚さで遮蔽率は約３％であり、シートのコストや重量を考慮に入れると、適用する価値があまり無いと言える。
【００３８】
これに対し、輸送・保管容器１Ａでは、フレキシブルコンテナ６内の外側充填部５に低濃度の除去物を充填し、内側充填部４に高濃度の除去物を充填し、外側充填部５の充填厚さｄを確保することで、特殊な遮蔽シートや遮蔽部材を用いなくとも放射線の被ばくレベルを十分に低減することができる。放射性汚染物質は、通常、除染場所から一時保管場所へ、一時保管場所から仮置き場へ、そして仮置き場から中間貯蔵施設へ輸送される。輸送・保管容器１Ａによれば、輸送・保管容器１Ａの表面での空間線量率を低減でき、除染業務に係る作業員全ての外部被ばく量の低減に寄与できる。なお、輸送・保管容器１Ａでは、筒状部２１すなわち内側充填部４がフレキシブルコンテナ６の上下端の近くまで延在するが（図４（ｂ）参照）、このような構造であっても、作業員が接近するのはフレキシブルコンテナ６の側面部６ａ付近であるため、作業員が被ばくすることはない。
【００３９】
また、輸送・保管容器１Ａによれば、容器本体として利用されるフレキシブルコンテナ６は自立可能であるため保管し易く、また揚重可能であるため輸送し易い。さらに、フレキシブルコンテナ６自体が軽量であるため、輸送時の重量を最小限にでき、放射性汚染物質の輸送がより一層容易となり、また輸送効率も向上する。すなわち、充填作業、設置作業、および運搬作業のいずれにおいても、ハンドリングがよくなる。また、汎用製品を利用するので、コストを大幅に低減することができる。
【００４０】
また、放射性物質を含有する水の凝集沈殿処理に伴って発生した凝集沈殿汚泥には、放射性物質が濃縮されて含まれる。そのため、凝集沈殿汚泥の放射性汚染レベルは、他の放射性汚染物質に比して特に高い。内側充填部４に高濃度汚染物質Ｈとしての凝集沈殿汚泥を充填し、外側充填部５に低濃度汚染物質Ｌを充填することにより、凝集沈殿汚泥からの放射線を確実に遮蔽でき、除染作業およびその後の輸送を安全かつ効率的に進めることができる。
【００４１】
また、筒状部２１内の内側充填部４に高濃度汚染物質Ｈを充填し、底板部２２によって筒状部２１が位置決めされ、外側充填部５の充填厚さｄが確保される。よって、簡易な構成により、輸送および保管の両方に適した輸送・保管容器が実現される。
【００４２】
また、輸送・保管容器１Ａの外側充填部５に土を配置しているため、保管時に積載荷重が作用したり、運搬時に保管容器が変形した際などに、内側充填部４に充填された土以外の鋭利な解体物質によってフレキシブルコンテナ６が破損したりすることが防止される。
【００４３】
なお、フレキシブルコンテナ６が透水性であっても、土壌中等に吸着している放射性セシウムは溶出し難いため、放射性物質が漏出することはなく、安全性は保たれる。
【００４４】
次に、他の実施形態について説明する。図１（ｂ）に示されるように、容器本体２の中心部にのみ設けられて、上下端まで延在しない仕切り部１３を用いた輸送・保管容器１０とすることもできる。この場合、仕切り部１３の上方には上部充填高さｄ１が確保され、仕切り部１３の下方には下部充填高さｄ２が確保される。仕切り部１３内の内側充填部１４は、上下左右を外側充填部１５によって包囲される。
【００４５】
図７（ａ）〜（ｄ）に示されるように、輸送・保管容器１０の具体例としての輸送・保管容器１０Ａでは、輸送・保管容器１Ａと同様、フレキシブルコンテナ６を用い、仕切り部１３として、袋体３０が用いられる。袋体３０の材質は、フレキシブルコンテナ６と同じである。袋体３０は、高濃度汚染物質Ｈを投入するための開口部３０ａと、開口部３０ａを閉止する閉止部３０ｂとを有する。
【００４６】
輸送・保管容器１０Ａに放射性汚染物質を充填する場合、まずフレキシブルコンテナ６の底部に低濃度汚染物質Ｌを充填し、その後、袋体３０に入れた低濃度汚染物質Ｌを低濃度汚染物質Ｌ上に載置し、最後に再度、袋体３０の側方および上方に低濃度汚染物質Ｌを充填する。最初に低濃度汚染物質Ｌを充填する高さは、必要となる下部充填高さｄ２に応じて設定する。輸送・保管容器１０Ａでは、袋体３０を包囲する低濃度汚染物質Ｌ自体が位置決め手段に相当する。
【００４７】
このような輸送・保管容器１０Ａおよび輸送・保管容器１０Ａへの充填方法によれば、輸送・保管容器１Ａと同様の作用効果が奏される。さらには、フレキシブルコンテナ６の上下に作業員が接近する場合であっても、安全性が確保される。
【００４８】
以上、本発明の実施形態について説明したが、本発明は上記実施形態に限られるものではない。たとえば、高濃度汚染物質容器２０の筒状部２１は、円筒状である場合に限られず、角筒状であってもよい。底板部２２は、円板状である場合に限られず、矩形板状であってもよい。
【００４９】
仕切り部の態様は、高濃度汚染物質容器２０の筒状部２１や袋体３０に限られない。フレキシブルコンテナ６（容器本体２）内に予め固定される、または後装着できる仕切り部であってもよい。また、内側充填部４に充填される高濃度汚染物質Ｈは、凝集沈殿汚泥に限られない。外側充填部５に充填される低濃度汚染物質Ｌは、土壌や土砂に限られない。低濃度汚染物質Ｌは、土以外の解体物等であってもよい。
【符号の説明】
【００５０】
１，１Ａ…輸送・保管容器、２…容器本体、２ａ…側面部、３…仕切り部、４…内側充填部、５…外側充填部、６…フレキシブルコンテナ（容器本体）、６ａ…側面部、１０，１０Ａ…輸送・保管容器、１３…仕切り部、１４…内側充填部、１５…外側充填部、２１…筒状部（仕切り部）、２２…底板部（板状部）、３０…袋体（仕切り部）、３０ａ…開口部、３０ｂ…閉止部、Ｈ…高濃度汚染物質、Ｌ…低濃度汚染物質。
【図１】
2014025790.tif 000003
【図２】
2014025790.tif 000004
【図３】
2014025790.tif 000005
【図４】
2014025790.tif 000006
【図５】
2014025790.tif 000007
【図６】
2014025790.tif 000008
【図７】
2014025790.tif 000009